(57)【特許請求の範囲】
【請求項１】
一般電話端末を収容した既存電話網の交換機と、ＩＰパケットと音声メディアとの変換処理を行うメディア・ゲートウェイとを接続し、ＩＰ網に接続されたＩＰ端末と前記既存電話網に接続された一般電話端末又は前記ＩＰ網に接続された他のＩＰ端末との間の連携接続を行う呼制御システムに於いて、
前記ＩＰパケットと前記音声メディアとの変換処理を行う前記メディア・ゲートウェイを接続した前記既存電話網の前記交換機に、
前記メディア・ゲートウェイを制御するＭＧ制御部と、
前記メディア・ゲートウェイと前記ＩＰ端末との間のＩＰパケットの送受信を行うＩＰインタフェース部と、
該ＩＰインタフェース部により受信した発呼情報を分析して前記ＩＰ網への接続か前記既存電話網への接続かを判断する分析部と、
前記ＩＰパケットによる発呼者に対して課金処理を行うＩＰ課金機能部及び前記分析部による前記発呼情報の分析結果によってＩＰ網接続を示す時に前記ＩＰ網へＩＰパケットを折り返し送出するＩＰ折り返し機能部を含むＩＰ用呼制御部と、
前記既存電話網の前記交換機の課金機能部と交換機間接続インタフェース部とを含む既存機能部と前記ＩＰ用呼制御部との間の情報の送受信を行うアダプタ機能部とを設けた
ことを特徴とする呼制御システム。
【請求項２】
前記ＩＰ用呼制御部の前記ＩＰ課金機能部は、前記既存機能部の前記課金機能部との間で前記アダプタ機能部を介して課金情報を転送する構成を有することを特徴とする請求項１記載の呼制御システム。
【請求項３】
前記分析部による前記発呼情報の分析の結果、ＩＰ網接続を示す時は前記ＩＰ用呼制御部の前記ＩＰ折り返し機能部によりＩＰパケットを前記ＩＰ網へ折り返し送出し、既存電話網接続を示す時は前記ＩＰパケットを前記メディア・ゲートウェイへ転送する構成を備えたことを特徴とする請求項１記載の呼制御システム。
【発明の詳細な説明】
【０００１】
【発明の属する技術分野】
本発明は、既存の電話網とＩＰ網とを連携させ、ＩＰ端末から発呼してＩＰ網収容のＩＰ端末又は既存の電話網収容の電話端末との間で音声通話を可能とする呼制御システムに関する。
【０００２】
【従来の技術】
ＩＰ（インターネット・プロトコル）端末を用いて通話するシステムがＶｏＩＰ (Ｖｏｉｃｅ  ｏｖｅｒ  ＩＰ）或いはインターネット電話 (ＩＰ電話）として知られている。例えば、図７に示すように、ＩＰ端末７１，７６と、アクセスサーバ（Ａｃｃｅｓｓ  Ｓｅｒｖｅｒ）７２，７５と、交換機７３，７４とを含み、交換機７３，７４は既存電話網を構成するＩＳＤＮ交換機で、ＩＰ端末７１と、ＩＰ端末７６又は交換機７４にＩインタフェースを介して収容された一般電話端末との間で通話できるシステムが知られている。
【０００３】
又アクセスサーバ７２，７５は、Ｉインタフェースで一般電話端末を収容する交換機７３，７４に、ＩＰ端末７１，７６を収容する為のもので、ＩＰ端末側のＩＰインタフェースと、交換機側のＩインタフェースとの変換機能、及びＩＰパケットと音声メディアとの変換機能を有するものである。従って、図示を省略している一般電話端末は、アクセスサーバ７２，７５を介することなく、Ｉインタフェースで交換機に接続される。又交換機７３，７４間は、例えば、音声メディアの伝送を行う交換機間インタフェース構成を有するものである。なお、ＩＰ端末７１，７６は、同一の交換機にアクセスサーバを介して収容される構成となる場合もある。
【０００４】
このような従来のシステムに於いて、既存電話網を構成する交換機７３，７４はＩインタフェースを提供しているだけであるから、ＩＰ端末７１，７６に対しては、アクセスサーバ７２，７５によってＩインタフェースに変換する必要があった。従って、課金処理についてもＩインタフェースによるものとなり、従来のディジタル回線とアナログ回線とを収容して交換接続処理と共に課金処理を含むシステムは、例えば、図８に示す機能を有するものであった。同図に於いて、８１はＩＳＤＮ用アプリケーション部、８２はアナログ用アプリケーション部、８３，８４は課金処理部、８５はＩＳＤＮインタフェース部、８６はアナログインタフェース部、８７は交換機間接続インタフェース部である。
【０００５】
ＩＳＤＮインタフェース部８５は、ＩＳＤＮ回線を介して一般電話端末を収容し、或いは、ＩＰ端末をアクセスサーバを介して収容するものであり、又アナログインタフェース部８６は、アナログ回線を介してアナログの一般電話端末を収容するものである。又交換機間接続インタフェース部８７は、交換機間の中継回線等を接続するものである。又課金処理部８３，８４は、例えば、単位時間方式に従って、着呼者番号解析による通話距離に対応して定められた料金を単位時間毎に積算する処理を行うものである。
【０００６】
課金処理部８３，８４に適用する課金方式には種々の方式があり、例えば、通話量に関係なく一定額とする定額方式、通話毎に課金する度数方式、前述の単位時間方式、距離に対応して単位料金で通話できる時間を定める距離別時間差方式、通話毎に時刻、対地、通話時間を記録して、料金を計算する詳細課金方式等がある。又発呼者に課金する場合が一般的であるが、着信者に課金する方式も適用されている。なお、通話中にネットワークのリソースを専有することになるから、リソースの専有量や専有時間に応じて課金する場合が一般的である。
【０００７】
【発明が解決しようとする課題】
一般のＩＰ端末によるデータ通信は、ＩＰパケットを用いて送受信するもので、このＩＰパケットは、ルータによってルーティング制御される、この場合、インターネットのリソースを時分割的に専有するだけであるから、通常は、伝送データ量を基に課金する方式が適用されている。
【０００８】
しかし、前述のように、ＩＰ端末を用いて相手ＩＰ端末或いは一般電話端末との間で通話する場合、既存電話網を構成するＩＳＤＮ交換機は、Ｉインタフェースで収容する必要上、前述のように、ＩＰ端末７１，７６はアクセスサーバ７２，７５を介して交換機７３，７４に接続することになる。その為に、Ｉインタフェースを介して収容している他の電話端末と同様に、ＩＳＤＮ交換機の場合は、ＩＳＤＮ用の課金方式のみを適用することになる。従って、ＩＰ端末によるインターネット接続の利点を享受できないものであった。
本発明は、簡単な構成により、ＩＰ端末を既存の交換機に収容して、柔軟な課金の適用を可能とすることを目的とする。
【０００９】
【課題を解決するための手段】
本発明の呼制御システムは、図１を参照して説明すると、一般電話端末を収容した既存電話網の交換機３と、ＩＰパケットと音声メディアとの変換処理を行うメディア・ゲートウェイ２とを接続し、ＩＰ網に接続されたＩＰ端末１と既存電話網に接続された一般電話端末又はＩＰ網に接続された他のＩＰ端末との間の連携接続を行う呼制御システムであって、ＩＰパケットと音声メディアとの変換処理を行うメディア・ゲートウェイ２を接続した既存電話網の前記交換機３に、メディア・ゲートウェイ２を制御するＭＧ制御部６と、メディア・ゲートウェイ２とＩＰ端末１との間のＩＰパケットの送受信を行うＩＰインタフェース部と、このＩＰインタフェース部により受信した発呼情報を分析してＩＰ網への接続か既存電話網への接続かを判断する分析部と、ＩＰパケットによる発呼者に対して課金処理を行うＩＰ課金機能部及び分析部による発呼情報の分析結果によってＩＰ網接続を示す時に、ＩＰ網へＩＰパケットを折り返し送出するＩＰ折り返し機能部を含むＩＰ用呼制御部と、既存電話網の交換機３の課金機能部と交換機間接続インタフェース部とを含む既存機能部とＩＰ用呼制御部との間の情報の送受信を行うアダプタ機能部とを設ける。このアダプタ機能部に相当する分析機能部５は、分析部、課金機能部、折り返し機能部等を含むものである。
【００１０】
又ＩＰ課金機能部は、既存機能部の課金機能部との間で、アダプタ機能部を介して課金情報を転送する構成を有するものである。
【００１１】
又分析部による発呼情報の分析の結果、ＩＰ網接続はＩＰ用呼制御部のＩＰ折り返し機能部によりＩＰパケットをＩＰ網へ折り返し送出し、既存電話網接続はＩＰパケットをメディア・ゲートウェイ２へ転送する構成を備えている。
【００１２】
【発明の実施の形態】
図１は本発明の実施の形態の説明図であり、１はＩＰ端末，２はメディア・ゲートウェイ、３，４は既存電話網を構成する交換機、５は分析処理部、６はＭＧ制御部を示す。ＩＰパケットと音声メディアとの間の変換処理を行うメディア・ゲートウェイ（ＭＧ）２を交換機３に接続する。そして、交換機３に、メディア・ゲートウェイ２を制御する機能を有するＭＧ制御部６を含む分析処理部５を設ける。この分析処理部５は、発呼情報の分析機能とＩＰ折り返し機能と交換機の既存機能部との間の情報転送を可能とするアダプタ機能と課金機能等を含むものである。又交換機３，４間は、従来と同様の接続構成とすることができる。なお、交換機３，４の交換接続機能や制御処理機能等の既存機能部は図示を省略している。
【００１３】
ＩＰ端末１が発呼した時のシグナリング・パケットは、交換機３の分析処理部５の分析機能により分析され、その分析結果、既存の電話網に収容された電話端末への発呼の場合、ＭＧ制御部６によりメディア・ゲートウェイ２の制御を開始し、又着呼側の交換機に対して発呼情報を送出する。又分析結果に対応して、ＩＰ端末１に対してＩＰパケットを送出する時のポート番号として、メディア・ゲートウェイ２のポート番号を通知する。
【００１４】
発呼情報に従った着呼者の呼び出しに応答した応答情報を受信することにより、ＩＰ端末１は、交換機３から通知されたポート番号を含む音声パケット（ＩＰパケット）を送出する。メディア・ゲートウェイ２は、ＩＰパケットと音声メディアとの変換処理を行い、一点鎖線で示すように、交換機３を介して、或いは、着呼者側の交換機４へ送出する。又受信した音声メディアをＩＰパケットに変換してＩＰ端末１へ送出する。又ＩＰ端末１からのシグナリング・パケットを分析処理部５で分析した結果、ＩＰ網接続の場合は、分析処理部５の折り返し機能部によってＩＰパケットを図示を省略したＩＰ網に折り返し送出する。
【００１５】
図２は本発明の前述の分析処理部の機能を示すものであり、１０は既存機能部、１１はＩＳＤＮアプリケーション部、１２は課金機能部、１３は交換機間接続インタフェース部、２１は分析部、２２はＩＰ用呼制御部、２３はＩＰ課金機能部、２４はＩＰインタフェース部、２５はＩＰ・既存インタワーク部、２６はＭＧ制御部、２７はアダプタ部を示す。
【００１６】
ＩＳＤＮアプリケーション部１１と、課金機能部１２と、交換機間接続インタフェース部１３とは、従来の交換機にも備えられている機能、即ち、既存機能部１０を示し、例えば、図８に於けるＩＳＤＮ用アプリケーション部８１と、課金処理部８３と、交換機間接続インタフェース部８７とに対応する。そして、他の構成がアダプタ機能部に相当する。この実施の形態に於いては、アダプタ機能部は、前述のメディア・ゲートウェイ２を制御するＭＧ制御部２６（図１のＭＧ制御部６に対応）と、ＩＰ端末を接続するＩＰインタフェース部２４と、ＩＰ用の分析部２１と、ＩＰ用呼制御部２２と、ＩＰ課金機能部２３と、既存機能部分とＩＰ機能部分との間のインタワークを行うＩＰ・既存インタワーク部２５との機能を付加すると共に、ＩＳＤＮアプリケーション部１１とＩＰ・既存インタワーク部２５との間の情報のインタフェース変換処理を含む送受信処理を行うアダプタ部２７を含む構成を有するものである。
【００１７】
又ＩＰインタフェース部２４は、ＩＰ端末からの前述のシグナリング・パケットによる発呼情報を受信すると、ＩＰ用呼制御部２２に転送する。このＩＰ用呼制御部２２は、接続先を含む発呼情報を分析部２１に転送する。分析部２１は、発呼情報を分析した結果のＩＰ網接続か既存電話網接続かの分析結果をＩＰ用呼制御部２２に返送する。
【００１８】
ＩＰ用呼制御部２２は、分析部２１に於ける分析結果、ＩＰ網接続を示す時、ＩＰ折り返し機能部に指示して、ＩＰパケットをＩＰ網へ折り返し送出させ、又既存電話網接続を示す時、メディアゲートウェイを制御するＭＧ制御部２６に既存電話網接続であることを指示する。又ＩＰ用呼制御部２２のＩＰ課金機能部２３に於いてＩＰ用課金情報を発呼情報から収集する。又ＩＳＤＮアプリケーション部１１の課金機能部１２との間のリンクをとることができるように、呼対応のＣＡＬＬ  ＩＤを設定する。
【００１９】
ＩＰインタフェース部２４は、既存電話網接続の場合に、ＩＰ端末からのＩＰパケットをメディア・ゲートウェイに転送する。又ＭＧ制御部２６によりメディア・ゲートウェイを制御して、ＩＰパケットと音声メディアとの変換処理を開始させる。又ＩＰ・既存インタワーク部２５は、発呼情報等をＩＳＤＮアプリケーション部１１側のインタフェースに変換し、アダプタ部２７を介してＩＳＤＮアプリケーション部１１又は交換機間接続インタフェース部１３に転送する。
【００２０】
ＩＳＤＮアプリケーション部１１は、Ｉインタフェースによる発呼情報を受信した場合と同様に処理し、例えば、交換機間接続インタフェース部１３を介して発呼情報を送出する。又通話終了による切断情報を受信した場合は、前述のＣＡＬＬ  ＩＤをキーとして、課金機能部１２で収集した課金情報をＩＰ課金機能部２３に転送し、ＩＰ課金機能部２３に於いてＩＰ用課金情報と既存網用課金情報とを収集し、予め定めた課金ルールに従った課金処理を行う。
【００２１】
図３は本発明の実施の形態の動作説明図であり、ＩＰ端末からの発呼をＩＰインタフェース部２４に於いて受け付けると、ＩＰ用呼制御部２２に発呼情報を転送する。ＩＰ用呼制御部２２は、分析部２１に発呼情報の分析要求を行う。分析部２１は、分析結果、ＩＰ網接続の場合は、ＩＰ折り返しを返送し、既存電話網接続の場合は、既存対向部を返送する。図示の場合は、既存電話網接続の場合であり、ＩＰ用呼制御部２２は、返送された既存対向部に従った機能部を生成し、ＩＰ・既存インタワーク部２５に通知する。
【００２２】
又ＩＰ課金機能部２３に於いてＩＰ課金用情報収集し、発呼情報にＣＡＬＬ  ＩＤを設定してＩＰ・既存インタワーク部２５に転送する。このＩＰ・既存インタワーク部２５に於いては、既存のＩＳＤＮアプリケーション部１１側のインタフェースに変換し、ＣＡＬＬ  ＩＤを付加した発呼情報をアダプタ部２７を介してＩＳＤＮアプリケーション部１１に転送する。
【００２３】
ＩＳＤＮアプリケーション部１１は、既存網のＩインタフェースによる発呼の場合と同様に課金機能部１２により課金情報を収集する。この場合、発呼情報に付加されたＣＡＬＬ  ＩＤを基に課金情報を処理する。そして、ＩＳＤＮアプリケーション部１１から交換機間接続インタフェース部１３に発呼情報を転送し、又アダプタ部２７とＩＰ・既存インタワーク部２５とＩＰ用呼制御部２２とＩＰインタフェース部２４とを介して、発呼したＩＰ端末に対して受け付け応答を送出する。又交換機間接続インタフェース部１３から既存網の交換機に発呼情報を送出する。
【００２４】
図示を省略した動作により既存網に収容された着呼者の呼び出しが行われ、それに対して応答すると、通話が開始されるもので、ＭＧ制御部２６からメディア・ゲートウェイを制御して、ＩＰ端末からのＩＰパケットによる音声情報をＩＰインタフェース部２４からメディア・ゲートウェイに転送し、ＩＰパケットを音声メディアに変換し、交換機間接続インタフェース部１３を介して既存網に送出する。又着呼者からの音声メディアを交換機間接続インタフェース部１３からメディア・ゲートウェイに転送して、ＩＰパケットに変換し、ＩＰインタフェース部２４を介してＩＰ端末へ送出する。それにより、相互間で通話が行なわれることになる。
【００２５】
この通話が終了し、ＩＰ端末が切断情報を送出すると、ＩＰインタフェース部２４は、切断情報をＩＰ用呼制御部２２に転送する。ＩＰ用呼制御部２２は、ＩＰ課金機能部２３に於けるＩＰ用の課金情報の収集を行わせ、且つＩＰ・既存インタワーク部２５に切断情報を転送する。この切断情報をアダプタ部２７を介してＩＳＤＮアプリケーション部１１に転送する。このＩＳＤＮアプリケーション部１１は、課金機能部１２に於いて課金用情報の収集を行わせ、且つ交換機間接続インタフェース部１３を介して切断情報の送出を行う。又課金機能部１２に於いて収集した課金用の情報をＩＰ課金機能部２３に転送し、このＩＰ課金機能部２３に於いてＩＰ用課金情報と既存課金情報とを収集する。
【００２６】
図４はＳＩＰインタフェースの場合の動作説明図であり、ＩＰネットワーク上で、ＩＰ電話の呼設定を実現する為のプロトコルとして標準化されたＳＩＰ（Ｓｅｓｓｉｏｎ  Ｉｎｉｔｉａｔｉｏｎ  Ｐｒｏｔｏｃｏｌ）を用いて、既存電話網へ発呼した場合を示す。ＩＰ端末からのテキスト形式のＩＮＶＩＴＥを受信したＩＰインタフェース部２４は、ＩＰ用呼制御部２２に発呼情報を転送する。
【００２７】
この発呼情報による分析部２１、ＩＰ・既存インタワーク部２５、アダプタ部２７、ＩＳＤＮアプリケーション部１１、交換機間接続インタフェース部１３に於ける処理は、図３に示す場合と同様であり、重複する説明は省略する。そして、ＩＮＶＩＥの受け付け応答としての１００ＯＫをＩＰインタフェース部２４からＩＰ端末へ送出し、既存電話網接続の場合を示すから、ＭＧ制御部２６によりメディア・ゲートウェイを制御して、ＩＰパケットと音声メディアとの変換処理により相互間で通話を行うことができる。
【００２８】
図５はＨ．３２３インタフェースの場合の動作説明図であり、Ｈ．３２３は、ＩＴＵ−Ｔ勧告によるもので、ＴＣＰ（Ｔｒａｎｓｍｉｓｓｉｏｎ  Ｃｏｎｔｒｏｌ  Ｐｒｏｔｏｃｏｌ）／ＵＤＰ（Ｕｓｅｒ  Ｄａｔａｇｒａｍ  Ｐｒｏｔｏｃｏｌ）上で発呼を制御したり、コネクションを確立して音声等をリアルタイムで送受信するプロトコルである。このプロトコルによるＩＰ端末からのデータ形式のＳＥＴＵＰ（呼設定）をＩＰインタフェース部２４に於いて受信すると、ＩＰインタフェース部２４は、ＩＰ用呼制御部２２に発呼情報を転送する。
【００２９】
この発呼情報による分析部２１、ＩＰ・既存インタワーク部２５、アダプタ部２７、ＩＳＤＮアプリケーション部１１、交換機間接続インタフェース部１３に於ける処理は、図３及び図４に示す場合と同様であり、重複する説明は省略する。そして、ＣＡＬＬ  ＰＲＯＣ (呼設定受付）をＩＰ端末に送出し、着呼者の呼び出しに対する応答により、通話が開始される。その時、ＭＧ制御部２６によりメディア・ゲートウェイを制御して、ＩＰパケットと音声メディアとの変換処理を開始して、相互間で通話を行うことになる。
【００３０】
図６はＩＰ網接続の動作説明図であり、図２に示す構成に於いて、ＩＰ用呼制御部２２は、発側と着側とそれぞれのＩＰ折り返し機能部を有し、ＩＰ端末が前述のＨ．３２３インタフェースを有する場合、ＳＥＴＵＰ (呼設定) をＩＰインタフェース部２４に於いて受信すると、ＩＰインタフェース部２４は、発側のＩＰ用制御部２２、即ち、ＩＰ用呼制御部 (発）に発呼情報を転送する。
【００３１】
このＩＰ用呼制御部（発）は、分析部２１に発呼情報の分析要求を行い、分析部２１は、分析結果、ＩＰ網接続と判定すると、ＩＰ折り返しをＩＰ用呼制御部（発）に返送する。そして、図示を省略しているが、ＩＰ課金機能部２３に於いて課金情報の収集を行う。又ＩＰ用呼制御部（発）は、分析部２１の分析結果に対応してＩＰ折り返し機能部を生成し、発呼情報を発側のＩＰ折り返し機能部に転送する。この発側のＩＰ折り返し機能部は、ＩＰパケットを着側のＩＰ折り返し機能部に転送する。この着側のＩＰ折り返し機能部は、転送されたＩＰパケットを着信と判断して、着側のＩＰ用呼制御部、即ち、ＩＰ用呼制御部（着）に着信を通知する。
【００３２】
このＩＰ用呼制御部（着）は、受け付け応答をＩＰインタフェース部２４に向けて送出する。ＩＰインタフェース部２４は、ＩＰ端末にＣＡＬＬ  ＰＲＯＣ（呼設定受付）を送出する。この場合、既存電話網接続ではないから、ＩＰ・既存インタワーク部２５側への発呼情報等の転送は行わない。そして、ＩＰ折り返し機能部によりＩＰパケットの折り返し送出が行われて、ＩＰ端末間の通話が行われる。
【００３３】
【発明の効果】
以上説明したように、本発明は、ＩＰパケットと音声メディアとの変換処理を行うメディア・ゲートウェイ２を既存電話網の交換機３に接続し、この交換機３に、メディア・ゲートウェイ２を制御するＭＧ制御部６と、ＩＰ端末１を接続してＩＰパケットの送受信を行うＩＰインタフェース部と、このＩＰインタフェース部により受信した発呼情報を分析する分析部と、ＩＰ課金機能部とＩＰ折り返し機能部とを含むＩＰ用呼制御部と、このＩＰ用呼制御部と既存機能部との間の情報の送受信を行うアダプタ機能部（分析機能部５に相当）とを設けたものであり、既存電話網の交換機３に僅かな機能を付加することにより、ＩＰインタフェースから、既存電話網の各種のサービス機能を提供することができる。
【００３４】
又課金については、既存電話網の課金機能とＩＰ課金機能との連携による柔軟な課金処理も容易であり、ＩＰ課金を独立的に処理することも可能である利点がある。
【図面の簡単な説明】
【図１】本発明の実施の形態の説明図である。
【図２】本発明の実施の形態の分析処理部の説明図である。
【図３】本発明の実施の形態の動作説明図である。
【図４】ＳＩＰインタフェースの場合の動作説明図である。
【図５】Ｈ．３２３インタフェースの場合の動作説明図である。
【図６】ＩＰ網接続の動作説明図である。
【図７】従来のシステムの説明図である。
【図８】従来のシステムの機能説明図である。
【符号の説明】
１  ＩＰ端末
２  メディア・ゲートウェイ
３，４  交換機
５  分析処理部
６  ＭＧ制御部
【図１】
0003864331.tif 000002
【図２】
0003864331.tif 000003
【図３】
0003864331.tif 000004
【図４】
0003864331.tif 000005
【図５】
0003864331.tif 000006
【図６】
0003864331.tif 000007
【図７】
0003864331.tif 000008
【図８】
0003864331.tif 000009